【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
地図上の位置情報と対応付けられた第１オブジェクトと、前記第１オブジェクトと対応付けられた第２オブジェクトとを、サーバ装置から受信する受信手段と、
ユーザによる選択を受け付ける入力手段と、
前記地図上の対応する位置に前記第１オブジェクトを表示手段に表示させ、前記入力手段により前記第１オブジェクトが選択されることにより、前記選択された第１オブジェクトに対応する前記第２オブジェクトを前記表示手段に表示させる表示制御手段と、
を有する表示装置。
【請求項２】
前記受信手段は、前記第２オブジェクトと対応付けられたコンテンツデータをさらに受信し、
前記表示装置は、
前記第２オブジェクトが表示されている間に前記入力手段により前記第２オブジェクトが選択されることにより、前記選択された第２オブジェクトに対応する前記コンテンツデータを出力する出力制御手段をさらに備えることを特徴とする請求項１に記載の表示装置。
【請求項３】
前記入力手段により指定されたコンテンツデータ又は当該コンテンツデータの識別情報と、当該コンテンツデータが指定されたときの位置情報とを、前記サーバ装置へ送信する送信手段をさらに備え、
前記サーバ装置は、前記送信手段から受信した情報に基づき、前記第２オブジェクトを生成することを特徴とする請求項２に記載の表示装置。
【請求項４】
前記送信手段は、前記入力手段により入力されたコメントをさらに前記サーバ装置へ送信し、
前記表示制御手段は、前記出力制御手段により出力されるコンテンツデータに対応するコメントを前記表示手段に表示させることを特徴とする請求項３に記載の表示装置。
【請求項５】
前記表示制御手段は、前記第１オブジェクトを木として表示させ、かつ、当該木には、前記第２オブジェクトを分類して表示するための枝を表示させることを特徴とする請求項１〜４のいずれか一項に記載の表示装置。
【請求項６】
前記表示制御手段は、前記サーバ装置への前記第２オブジェクトと対応付けるコンテンツデータの登録要求があった日時、前記登録要求をしたユーザの属性、または、前記コンテンツデータのジャンルに基づき、前記第２オブジェクトを分類して表示することを特徴とする請求項２〜５のいずれか一項に記載の表示装置。
【請求項７】
前記送信手段は、前記コメントと共に、前記入力手段により入力された前記コメントのカテゴリ情報を前記サーバ装置へさらに送信し、
前記表示制御手段は、前記カテゴリ情報に基づき、前記第２オブジェクトを分類して表示することを特徴とする請求項４に記載の表示装置。
【請求項８】
前記表示制御手段は、前記第１オブジェクトと対応付けられた第２オブジェクトの数に基づいて、前記第１オブジェクトの表示態様を変化させることを特徴とする請求項１〜７のいずれか一項に記載の表示装置。
【請求項９】
前記表示制御手段は、前記第１オブジェクトの選択により表示される第２オブジェクトに対応付けられたコンテンツデータのジャンルの傾向、又は、当該コンテンツデータが前記サーバ装置に登録された時期の傾向に基づいて、前記第１オブジェクトの表示態様を変化させることを特徴とする請求項２〜８のいずれか一項に記載の表示装置。
【請求項１０】
前記表示制御手段は、現在位置を含む地図を表示する場合に限り、前記第１及び第２オブジェクトを前記表示手段に表示させることを特徴とする請求項１〜９のいずれか一項に記載の表示装置。
【請求項１１】
第１及び第２端末装置と通信を行うサーバ装置であって、
地図上の位置情報と対応付けられた第１オブジェクトと、前記第１オブジェクトと対応付けられた第２オブジェクトと、前記第２オブジェクトと対応付けられたコンテンツデータを記憶する記憶手段と、
コンテンツデータ又は当該コンテンツデータの識別情報と、前記第１端末装置の位置情報とを、前記第１端末装置から受信する受信手段と、
前記位置情報に対応する第１オブジェクトを特定する特定手段と、
前記受信手段が受信したコンテンツデータ又は識別情報が示すコンテンツデータを出力するための第２オブジェクトを生成し、前記特定手段が特定した第１オブジェクトに関連付けて前記記憶手段に記憶させる記憶制御手段と、
地図を表示する前記第２端末装置が指定した前記地図の表示範囲内の位置を示す前記位置情報に対応付けられた第１オブジェクトと、当該第１オブジェクトに対応付けられた第２オブジェクトとを、前記第２端末装置へ送信する送信手段と、
を有することを特徴とするサーバ装置。
【請求項１２】
前記記憶制御手段は、前記位置情報に対応する第１オブジェクトが存在しない場合、当該位置情報に対応する第１オブジェクトを生成し、前記第２オブジェクトの生成後、当該第２オブジェクトを、生成した第１オブジェクト及び前記コンテンツデータに対応付けて前記記憶手段に記憶させることを特徴とする請求項１１に記載のサーバ装置。
【請求項１３】
前記送信手段は、ユーザに関する情報又は現在の日時に関する情報に基づき、前記第２端末装置に送信すべき第２オブジェクトを選定することを特徴とする請求項１１または１２に記載のサーバ装置。
【請求項１４】
請求項１〜１０のいずれか一項に記載の表示装置と、前記表示装置と通信を行うサーバ装置とを有する再生システムであって、
前記サーバ装置は、
地図上の位置情報と対応付けられた第１オブジェクトと、前記第１オブジェクトと対応付けられた第２オブジェクトと、前記第２オブジェクトと対応付けられたコンテンツデータを記憶する記憶手段と、
前記表示装置から前記地図の表示範囲を指定する情報を受信した場合、当該表示範囲内の位置を示す前記位置情報と対応付けられた第１オブジェクトと、当該第１オブジェクトに対応付けられた第２オブジェクトとを、前記表示装置へ送信する送信手段と、
を有することを特徴とする再生システム。
【請求項１５】
ユーザによる選択を受け付ける入力手段を有する表示装置が実行する制御方法であって、
地図上の位置情報と対応付けられた第１オブジェクトと、前記第１オブジェクトと対応付けられた第２オブジェクトとを、サーバ装置から受信する受信工程と、
前記地図上の対応する位置に前記第１オブジェクトを表示手段に表示させ、前記入力手段により前記第１オブジェクトが選択されることにより、前記選択された第１オブジェクトに対応する前記第２オブジェクトを前記表示手段に表示させる表示制御工程と、
を有することを特徴とする制御方法。
【請求項１６】
ユーザによる選択を受け付ける入力手段を有する表示装置を制御するコンピュータが実行するプログラムであって、
地図上の位置情報と対応付けられた第１オブジェクトと、前記第１オブジェクトと対応付けられた第２オブジェクトとを、サーバ装置から受信する受信手段と、
前記地図上の対応する位置に前記第１オブジェクトを表示手段に表示させ、前記入力手段により前記第１オブジェクトが選択されることにより、前記選択された第１オブジェクトに対応する前記第２オブジェクトを前記表示手段に表示させる表示制御手段
として前記コンピュータを機能させることを特徴とするプログラム。
【請求項１７】
請求項１６に記載のプログラムを記憶したことを特徴とする記憶媒体。
【手続補正２】
【補正対象書類名】明細書
【補正対象項目名】０００５
【補正方法】変更
【補正の内容】
【０００５】
請求項に記載の発明は、表示装置であって、地図上の位置情報と対応付けられた第１オブジェクトと、前記第１オブジェクトと対応付けられた第２オブジェクトとを、サーバ装置から受信する受信手段と、ユーザによる選択を受け付ける入力手段と、前記地図上の対応する位置に前記第１オブジェクトを表示手段に表示させ、前記入力手段により前記第１オブジェクトが選択されることにより、前記選択された第１オブジェクトに対応する前記第２オブジェクトを前記表示手段に表示させる表示制御手段と、
を有することを特徴とする。
【手続補正３】
【補正対象書類名】明細書
【補正対象項目名】０００６
【補正方法】変更
【補正の内容】
【０００６】
また、請求項に記載の発明は、第１及び第２端末装置と通信を行うサーバ装置であって、地図上の位置情報と対応付けられた第１オブジェクトと、前記第１オブジェクトと対応付けられた第２オブジェクトと、前記第２オブジェクトと対応付けられたコンテンツデータを記憶する記憶手段と、コンテンツデータ又は当該コンテンツデータの識別情報と、前記第１端末装置の位置情報とを、前記第１端末装置から受信する受信手段と、前記位置情報に対応する第１オブジェクトを特定する特定手段と、前記受信手段が受信したコンテンツデータ又は識別情報が示すコンテンツデータを出力するための第２オブジェクトを生成し、前記特定手段が特定した第１オブジェクトに関連付けて前記記憶手段に記憶させる記憶制御手段と、地図を表示する前記第２端末装置が指定した前記地図の表示範囲内の位置を示す前記位置情報に対応付けられた第１オブジェクトと、当該第１オブジェクトに対応付けられた第２オブジェクトとを、前記第２端末装置へ送信する送信手段と、を有することを特徴とする。
【手続補正４】
【補正対象書類名】明細書
【補正対象項目名】０００７
【補正方法】変更
【補正の内容】
【０００７】
また、請求項に記載の発明は、ユーザによる選択を受け付ける入力手段を有する表示装置が実行する制御方法であって、地図上の位置情報と対応付けられた第１オブジェクトと、前記第１オブジェクトと対応付けられた第２オブジェクトとを、サーバ装置から受信する受信工程と、前記地図上の対応する位置に前記第１オブジェクトを表示手段に表示させ、前記入力手段により前記第１オブジェクトが選択されることにより、前記選択された第１オブジェクトに対応する前記第２オブジェクトを前記表示手段に表示させる表示制御工程と、を有することを特徴とする。
【手続補正５】
【補正対象書類名】明細書
【補正対象項目名】０００８
【補正方法】変更
【補正の内容】
【０００８】
また、請求項に記載の発明は、ユーザによる選択を受け付ける入力手段を有する表示装置を制御するコンピュータが実行するプログラムであって、地図上の位置情報と対応付けられた第１オブジェクトと、前記第１オブジェクトと対応付けられた第２オブジェクトとを、サーバ装置から受信する受信手段と、前記地図上の対応する位置に前記第１オブジェクトを表示手段に表示させ、前記入力手段により前記第１オブジェクトが選択されることにより、前記選択された第１オブジェクトに対応する前記第２オブジェクトを前記表示手段に表示させる表示制御手段として前記コンピュータを機能させることを特徴とする。